(57)【要約】      （修正有）【課題】コネクタハウジングの端子収容室内に端子を係止するための係止部を有するスペーサのコネクタハウジングへの本係止位置、および、仮係止位置における保持力の低下を防止することができるスペーサ係止構造およびコネクタを提供する。【解決手段】中空部分なくコネクタハウジング１０への挿入方向に延びる弾性アーム本体２３ａの一方の側面２３ｂに設けられた仮係止突起２４と、他方の側面２３ｂに仮係止突起２４に対して挿入方向で間隔を隔てて設けられた本係止突起２５と、を含んでスペーサ２０の両側部に設けられた一対の弾性係止アーム２３と、一対のアーム挿入空間１２に形成された一方の空間内壁面１２ａに仮係止位置で仮係止突起２４が係止されるように形成された被仮係止突起１３と、他方の空間内壁面１２ａに被仮係止突起１３に対して挿入方向で間隔を隔てた本係止位置で本係止突起２５が係止されるように形成された被本係止突起１４とを有する。【選択図】図９
2020140917.tif 000002
【特許請求の範囲】
【請求項１】
中空部分なくコネクタハウジングへの挿入方向に延びる弾性アーム本体の表裏の関係にある両側面の一方の前記側面に設けられた仮係止突起と、他方の前記側面に前記仮係止突起に対して前記挿入方向で間隔を隔てて設けられた本係止突起と、を含んでスペーサの両側部に設けられた一対の弾性係止アームと、
前記一対の弾性係止アームが挿入される前記コネクタハウジングの一対のアーム挿入空間に前記両側面に向かい合うように形成された一対の空間内壁面の一方の前記空間内壁面に仮係止位置で前記仮係止突起が係止されるように形成された被仮係止突起と、他方の前記空間内壁面に前記被仮係止突起に対して前記挿入方向で間隔を隔てた本係止位置で前記本係止突起が係止されるように形成された被本係止突起と、
を有し、
前記弾性アーム本体が係止状態の前記仮係止突起あるいは前記本係止突起が形成された前記側面に対して背面側に撓みながら係止状態が変化される場合、前記背面側の前記仮係止突起あるいは前記本係止突起が前記背面側の前記空間内壁面に当接される
ことを特徴とするスペーサ係止構造。
【請求項２】
中空部分なくコネクタハウジングへの挿入方向に延びる弾性アーム本体の表裏の関係にある両側面の一方の前記側面に設けられた仮係止突起と、他方の前記側面に前記仮係止突起に対して前記挿入方向で間隔を隔てて設けられた本係止突起と、を含む一対の弾性係止アームが両側部に設けられたスペーサと、
前記一対の弾性係止アームが挿入される一対のアーム挿入空間に前記両側面に向かい合うように形成された一対の空間内壁面の一方の前記空間内壁面に仮係止位置で前記仮係止突起が係止される被仮係止突起が形成され、他方の前記空間内壁面に前記被仮係止突起に対して前記挿入方向で間隔を隔てた本係止位置で前記本係止突起が係止される被本係止突起が形成されたコネクタハウジングと、
を有し、
前記弾性アーム本体が係止状態の前記仮係止突起あるいは前記本係止突起が形成された前記側面に対して背面側に撓みながら係止状態が変化される場合、前記背面側の前記仮係止突起あるいは前記本係止突起が前記背面側の前記空間内壁面に当接される
ことを特徴とするコネクタ。
【発明の詳細な説明】
【技術分野】
【０００１】
本発明は、仮係止位置および本係止位置の２つの係止位置でコネクタハウジングにスペーサを取り付けできるスペーサ係止構造およびコネクタに関する。
【背景技術】
【０００２】
従来、コネクタハウジングの端子収容室内に端子を係止する端子の係止構造としては、コネクタハウジングとは別体で設けられ、コネクタハウジングへの仮係止位置で端子収容室への端子の収容を可能とし、本係止位置で端子収容室内に収容された端子をコネクタハウジング内に設けられた係止部とともに二重係止するスペーサを用いたものがある。
【０００３】
例えば、特許文献１に記載された端子の係止構造は、端子挿入許容位置（仮係止位置）では、リテーナ（スペーサ）の係止凸部が端子収容室外に配置されるので、端子が端子収容室内に収容可能であり、端子収容室内に収容された端子がコネクタハウジングに設けられた可撓係止ランスに係止される。次に、リテーナ（スペーサ）を端子挿入許容位置（仮係止位置）から端子嵌合位置（本係止位置）に移動することによって、端子を可撓係止ランスとリテーナ（スペーサ）とによって二重係止するようになっている。
【０００４】
また、特許文献２には、従来技術として、フロントホルダ（スペーサ）の種々の係止構造が記載されている。
例えば、図９に示された、係止手段は、コネクタハウジングに空部が設けられ、この空部の一方の内壁面に被仮係止突起、他方の内壁面に被本係止突起が入口側から順に設けられている。
フロントホルダ（スペーサ）には、空部に進入するアームが突出して設けられ、アームの一側部に被仮係止突起に係止する仮係止突起、他側部に被本係止突起に係止する本係止突起が順に設けられている。
この特許文献２の図９に記載された係止手段は、アームの中央部にスリット状の孔（中空部）が設けられ各係止突起が内側に撓むことで係止状態が変化されるようになっている。
【先行技術文献】
【特許文献】
【０００５】
【特許文献１】２０１４−３２８０４号公報
【特許文献２】２００３−４５５４６号公報
【発明の概要】
【発明が解決しようとする課題】
【０００６】
しかしながら、上述した従来技術のスペーサ係止構造は、コネクタハウジングの端子収容室への端子の挿入経路に沿ってスペーサの壁を貫通する必要があるので、スペーサが変形し易いこと、スペーサとコネクタハウジングのガタによって係止部分の係り代が低下すること、あるいは、片効きの発生をまねき易いことによって、仮係止位置、本係止位置における保持力が低下する虞れがあった。
このようにスペーサの仮係止位置および本係止位置における保持力が低下すると、製造工程間の運搬時の取扱いによって受ける衝撃等によって係止状態が変化してしまう。
例えば、スペーサの係止状態が、仮係止位置から本係止位置に係止状態が変化した場合、スペーサを仮係止位置に戻して作業を行う必要があり、作業負荷が増える原因になっていた。
【０００７】
本発明は、上記に鑑みてなされたものであって、コネクタハウジングの端子収容室内に端子を係止するための係止部を有するスペーサのコネクタハウジングへの本係止位置、および、仮係止位置における保持力の低下を防止することができるスペーサ係止構造およびコネクタを提供することを目的とする。
【課題を解決するための手段】
【０００８】
上述した課題を解決し、目的を達成するために、本発明に係るスペーサ係止構造は、中空部分なくコネクタハウジングへの挿入方向に延びる弾性アーム本体の表裏の関係にある両側面の一方の前記側面に設けられた仮係止突起と、他方の前記側面に前記仮係止突起に対して前記挿入方向で間隔を隔てて設けられた本係止突起と、を含んでスペーサの両側部に設けられた一対の弾性係止アームと、前記一対の弾性係止アームが挿入される前記コネクタハウジングの一対のアーム挿入空間に前記両側面に向かい合うように形成された一対の空間内壁面の一方の前記空間内壁面に仮係止位置で前記仮係止突起が係止されるように形成された被仮係止突起と、他方の前記空間内壁面に前記被仮係止突起に対して前記挿入方向で間隔を隔てた本係止位置で前記本係止突起が係止されるように形成された被本係止突起と、を有し、前記弾性アーム本体が係止状態の前記仮係止突起あるいは前記本係止突起が形成された前記側面に対して背面側に撓みながら係止状態が変化される場合、前記背面側の前記仮係止突起あるいは前記本係止突起が前記背面側の前記空間内壁面に当接されることを特徴とする。
【０００９】
上述した課題を解決し、目的を達成するために、本発明に係るコネクタは、中空部分なくコネクタハウジングへの挿入方向に延びる弾性アーム本体の表裏の関係にある両側面の一方の前記側面に設けられた仮係止突起と、他方の前記側面に前記仮係止突起に対して前記挿入方向で間隔を隔てて設けられた本係止突起と、を含む一対の弾性係止アームが両側部に設けられたスペーサと、前記一対の弾性係止アームが挿入される一対のアーム挿入空間に前記両側面に向かい合うように形成された一対の空間内壁面の一方の前記空間内壁面に仮係止位置で前記仮係止突起が係止される被仮係止突起が形成され、他方の前記空間内壁面に前記被仮係止突起に対して前記挿入方向で間隔を隔てた本係止位置で前記本係止突起が係止される被本係止突起が形成されたコネクタハウジングと、を有し、前記弾性アーム本体が係止状態の前記仮係止突起あるいは前記本係止突起が形成された前記側面に対して背面側に撓みながら係止状態が変化される場合、前記背面側の前記仮係止突起あるいは前記本係止突起が前記背面側の前記空間内壁面に当接されることを特徴とする。
【発明の効果】
【００１０】
本発明に係るスペーサ係止構造は、前記弾性アーム本体が係止状態の前記仮係止突起、あるいは、前記本係止突起が形成された前記側面に対して背面側に撓みながら係止状態が変化される場合、前記背面側の前記仮係止突起あるいは前記本係止突起が前記背面側の前記空間内壁面に当接され、前記背面側の前記仮係止突起あるいは前記本係止突起が支えとなって、前記弾性アーム本体の可撓変位量を小さく抑えることができる。
従って、本発明に係るスペーサ係止構造は、コネクタハウジングの端子収容室内に端子を係止するための係止部を有するスペーサのコネクタハウジングへの本係止位置、および、仮係止位置における保持力の低下を防止することができる。
【００１１】
本発明に係るコネクタは、前記弾性アーム本体が係止状態の前記仮係止突起、あるいは、前記本係止突起が形成された前記側面に対して背面側に撓みながら係止状態が変化される場合、前記背面側の前記係止突起あるいは前記本係止突起が前記背面側の前記空間内壁面に当接され、前記背面側の前記仮係止突起あるいは前記本係止突起が支えとなって、前記弾性アーム本体の可撓変位量を小さく抑えることができる。
従って、本発明に係るコネクタは、コネクタハウジングの端子収容室内に端子を係止するための係止部を有するスペーサのコネクタハウジングへの本係止位置、および、仮係止位置における保持力の低下を防止することができる。
【図面の簡単な説明】
【００１２】
【図１】図１は、本発明の実施例に係るコネクタの分解斜視図ある。
【図２】図２は、図１に示したスペーサの斜視図である。
【図３】図３は、（ａ）がスペーサの上面図であり、（ｂ）がスペーサの前面図であり、（ｃ）がスペーサの側面図であり、（ｄ）がスペーサの後面図である。
【図４】図４は、図３（ｄ）に示したスペーサの一対の弾性係止アームの各弾性係止アーム周辺の拡大図である。
【図５】図５は、図１に示したコネクタハウジングの拡大図である。
【図６】図６は、（ａ）がコネクタハウジングの上面図であり、（ｂ）がコネクタハウジングの前面図であり、（ｃ）がコネクタハウジングの側面図であり、（ｄ）がコネクタハウジングの後面図である。
【図７】図７は、図６（ｄ）に示した一対のアーム挿入空間周辺の拡大図である。
【図８】図８は、（ａ）がスペーサがコネクタハウジングに仮係止位置で取り付けられた状態のコネクタの前面図であり、（ｂ）がスペーサがコネクタハウジングに仮係止位置で取り付けられた状態のコネクタの側面図である。
【図９】図９は、図８（ｂ）に示したコネクタのＡ−Ａ線断面図である。
【図１０】図１０は、（ａ）がスペーサがコネクタハウジングに本係止位置で取り付けられた状態のコネクタの前面図であり、（ｂ）がスペーサがコネクタハウジングに本係止位置で取り付けられた状態のコネクタの側面図である。
【図１１】図１１は、図１０（ｂ）に示したコネクタのＡ−Ａ線断面図である。
【図１２】図１２は、（ａ）が仮係止位置の係止状態からスペーサにコネクタハウジングから離脱する方向に力が作用された場合の弾性係止アームの状態を示した図であり、（ｂ）が本係止位置の係止状態からスペーサにコネクタハウジングから離脱する方向に力が作用された場合の弾性係止アームの状態を示した図である。
【発明を実施するための形態】
【００１３】
以下、図面を参照して、本発明に係るスペーサ係止構造およびコネクタの好適な実施例を詳細に説明する。
【実施例】
【００１４】
図１は、本発明の実施例に係るコネクタ１００の分解斜視図ある。図２は、図１に示したスペーサ２０の斜視図である。図３は、（ａ）がスペーサ２０の上面図であり、（ｂ）がスペーサ２０の前面図であり、（ｃ）がスペーサ２０の側面図であり、（ｄ）がスペーサ２０の後面図である。図４は、図３（ｄ）に示したスペーサ２０の一対の弾性係止アーム２３の各弾性係止アーム２３周辺の拡大図である。図５は、図１に示したコネクタハウジング１０の拡大図である。図６は、（ａ）がコネクタハウジング１０の上面図であり、（ｂ）がコネクタハウジング１０の前面図であり、（ｃ）がコネクタハウジング１０の側面図であり、（ｄ）がコネクタハウジング１０の後面図である。図７は、図６（ｄ）に示した一対のアーム挿入空間１２周辺の拡大図である。図８は、（ａ）がスペーサ２０がコネクタハウジング１０に仮係止位置で取り付けられた状態のコネクタの前面図であり、（ｂ）がスペーサ２０がコネクタハウジング１０に仮係止位置で取り付けられた状態のコネクタ１００の側面図である。図９は、図８（ｂ）に示したコネクタ１００のＡ−Ａ線断面図である。図１０は、（ａ）がスペーサ２０がコネクタハウジング１０に本係止位置で取り付けられた状態のコネクタ１００の前面図であり、（ｂ）がスペーサ２０がコネクタハウジング１０に本係止位置で取り付けられた状態のコネクタ１００の側面図である。図１１は、図１０（ｂ）に示したコネクタ１００のＡ−Ａ線断面図である。図１２は、（ａ）が仮係止位置の係止状態からスペーサ２０にコネクタハウジング１０から離脱する方向に力が作用された場合の弾性係止アーム２３の状態を示した図であり、（ｂ）が本係止位置の係止状態からスペーサ２０にコネクタハウジング１０から離脱する方向に力が作用された場合の弾性係止アーム２３の状態を示した図である。
なお、説明の便宜上、図１に示した座標軸のように上下前後左右方向を定める。
【００１５】
本発明の実施例に係るコネクタ１００は、コネクタハウジング１０と、バスバー端子１１０と、スペーサ２０と、を有する。
このコネクタ１００は、電線付き端子３０の端子４０がコネクタハウジング１０の端子収容室１１内に収容され、バスバー端子１１０に電気的に接続されることによってジョイント回路が形成されるようになっている。
また、本発明の実施例に係るスペーサ係止構造１は、スペーサ２０をコネクタハウジング１０に仮係止位置、および、本係止位置で係止するためコネクタ１００に組み込まれた係止構造である。
【００１６】
まず、電線付き端子３０の端子４０について説明する。
電線付き端子３０の端子４０は、図１に示すように、公知の雌型の端子であり、バスバー端子１１０のタブ部１１０ａが筒内で接続される角筒状の相手端子接続部４１と、電線Ｗが接続される電線接続部４２と、相手端子接続部４１と電線接続部４２と間を繋ぐ繋ぎ部４３と、を有する。
【００１７】
なお、図１は、繋ぎ部４３の開口４３ａ側が視えるように、上側に繋ぎ部４３の開口４３ａ側を向けた姿勢で端子４０を配置しているが、実際には、端子４０は、繋ぎ部４３の開口４３ａ側を下側にした姿勢で配置される。
つまり、端子４０は、繋ぎ部４３の開口４３ａ側を端子収容室１１の下壁でもあるコネクタハウジング１０の下壁１０ｃ側に向けた状態で端子収容室１１内に収容される。
【００１８】
次に、コネクタハウジング１０について説明する。
コネクタハウジング１０は、絶縁樹脂製のブロック体であり、複数の端子４０が収容される複数の端子収容室１１と、スペーサ２０の挿入口となるスペーサ挿入口１５と、スペーサ挿入口１５へのスペーサ２０の挿入にともなって、スペーサ２０の後述する一対の弾性係止アーム２３がそれぞれ挿入される一対のアーム挿入空間１２、１２と、を有する。
【００１９】
各端子収容室１１は、コネクタハウジング１０の後端面１０ｂに形成された端子挿入口１１ｃから前端面１０ａに向けて貫通した孔によって形成された端子４０の収容空間である。
各端子４０は、コネクタハウジング１０の端子挿入口１１ｃから端子収容室１１内に挿入されるようになっている。
【００２０】
また、端子収容室１１は、端子挿入口１１ｃから端子４０が抜け出すことを阻止する不図示の係止ランスが端子収容室１１の下壁１０ｃから片状に突設されている。
この係止ランスは、スペーサ挿入口１５よりも前方側に設けられている。
【００２１】
各端子４０は、端子収容室１１に収容完了されると、係止ランスに係止される。
【００２２】
各アーム挿入空間１２は、コネクタハウジング１０の後端側の幅を一段拡大させた部分に上下方向に貫通して形成された空間である。
【００２３】
各アーム挿入空間１２は、内部に挿入された弾性アーム本体２３ａの両側面２３ｂ、２３ｂに向かい合うように一対の空間内壁面１２ａ、１２ａが形成されている。
【００２４】
この一対の空間内壁面１２ａ、１２ａの一方の空間内壁面１２ａに仮係止位置でスペーサ２０の後述する仮係止突起２４が係止される被仮係止突起１３が形成され、他方の空間内壁面１２ａに被仮係止突起１３に対して挿入方向で間隔を隔てた本係止位置で後述する本係止突起２５が係止される被本係止突起１４が形成されている。
【００２５】
より具体的には、アーム挿入空間１２の弾性係止アーム２３の挿入口となるアーム挿入口１２ｂ（図７参照）から空間内方に向けて被仮係止突起１３および被本係止突起１４が間隔を隔てて順次形成されている。
被仮係止突起１３は、一対の空間内壁面１２ａ、１２ａのうち、コネクタハウジング１０の幅方向外側の空間内壁面１２ａに形成されている。
被本係止突起１４は、一対の空間内壁面１２ａ、１２ａのうち、コネクタハウジング１０の幅方向内側の空間内壁面１２ａに形成されている。
【００２６】
被仮係止突起１３および被本係止突起１４のそれぞれは、アーム挿入口１２ｂ側の面が、仮係止突起２４および本係止突起２５が挿入方向Ｄへの移動にともなってのり越え易くするために傾斜された面になっている。
また、被仮係止突起１３および被本係止突起１４のそれぞれは、上面側の面が、仮係止突起２４および本係止突起２５との係り代を確保しやすい水平な面になっている。
【００２７】
次に、スペーサ２０について説明する。
スペーサ２０は、絶縁樹脂製であり、スペーサ挿入口１５を塞ぐ壁となる底壁２１と、底壁２１の幅方向両端面より内側に立設された一対の側壁２２、２２と、を有する。
【００２８】
底壁２１の上面には、図２に示すように、コネクタハウジング１０の各端子収容室１１に対応して端子４０の収容空間を区画する隔壁２１ａが設けられ、区画された各面に各端子収容室１１に収容された端子４０を係止するための係止部２１ｂが突設されている。
【００２９】
また、スペーサ２０は、スペーサ２０の両側部に設けられた一対の弾性係止アーム２３、２３を有する。
各弾性係止アーム２３は、中空部分なくコネクタハウジング１０への挿入方向Ｄに延びる弾性アーム本体２３ａの表裏の関係にある両側面２３ｂ、２３ｂの一方の側面２３ｂに設けられた仮係止突起２４と、他方の側面２３ｂに仮係止突起２４に対して挿入方向Ｄで間隔を隔てて設けられた本係止突起２５と、を含む。
【００３０】
各弾性アーム本体２３ａは、各側壁２２の後端から側壁２２に比して薄い壁を後方に延在しして形成された壁であり、弾性的に撓むことができるようになっている。
【００３１】
仮係止突起２４は、先端部から弾性アーム本体２３ａの基端部方向に向けて本係止突起２５に対して間隔を隔てた位置で外側に向けて突設されている。
本係止突起２５は、弾性アーム本体２３ａの先端部に内側に向けて突設されている。
【００３２】
ここで、コネクタハウジング１０にスペーサ２０を取り付ける手順について説明する。
まず、作業者は、スペーサ２０をコネクタハウジング１０の仮係止位置に取り付ける。
ここで作業者は、スペーサ２０をコネクタハウジング１０のスペーサ挿入口１５を臨む位置に底壁２１の上面を向けた姿勢で、一対の弾性係止アーム２３、２３を先端から各アーム挿入空間１２に挿入開始する。
各アーム挿入空間１２に挿入開始された各弾性係止アーム２３は、仮係止突起２４が被仮係止突起１３にのりあげることによって、仮係止突起２４が形成された側面２３ｂに対して背面側に弾性アーム本体２３ａが撓む。
各アーム挿入空間１２に挿入開始された各弾性係止アーム２３は、仮係止突起２４が被仮係止突起１３をのり越えたところで、撓んでいた弾性アーム本体２３ａが弾性的に復元されることによって仮係止突起２４が被仮係止突起１３に係止する（図９参照）。
このように、各弾性係止アーム２３は、壁を撓ませながら圧入的に各アーム挿入空間１２に挿入される。
なお、スペーサ２０が仮係止位置の状態では、スペーサ２０の底壁２１がコネクタハウジング１０の下壁１０ｃから下方に突出した状態であるため、作業者は、端子４０が端子収容室１１に収容完了していないことを確認できる（図８、図９参照）。
【００３３】
次に、作業者は、複数の端子４０を対応するそれぞれの端子収容室１１に収容する。
スペーサ２０が仮係止位置の状態では、端子４０をコネクタハウジング１０の端子挿入口１１ｃから各端子収容室１１内に挿入するための端子４０の挿入経路が確保されている。
このため、作業者は、スペーサ２０が仮係止位置の状態で、各端子４０を対応するそれぞれの端子収容室１１内に収容することができる。
このようにして各端子収容室１１に収容された端子４０は、コネクタハウジング１０の係止ランスによって係止される。
【００３４】
次に、作業者は、スペーサ２０をコネクタハウジング１０の本係止位置に取り付ける。
ここで作業者は、一対の弾性係止アーム２３を仮係止位置からさらに各アーム挿入空間１２の内方に向けて挿入する。
各アーム挿入空間１２の奥に挿入された各弾性係止アーム２３は、本係止突起２５が被本係止突起１４にのりあげることによって、本係止突起２５が形成された側面２３ｂに対して背面側に弾性アーム本体２３ａが撓み、本係止突起２５が被本係止突起１４をのり越えたところで、撓んでいた弾性アーム本体２３ａが弾性的に復元されることによって本係止突起２５が被本係止突起１４に係止する（図１１参照）。
このように、各弾性係止アーム２３は、壁を撓ませながら圧入的に対応する各アーム挿入空間１２の奥に挿入される。
【００３５】
スペーサ２０が本係止位置に取り付け完了されると、各端子４０に対応して設けられた係止部２１ｂが各端子４０を係止する。
より具体的には、係止部２１ｂが端子４０の相手端子接続部４１の繋ぎ部４３と接続される側の端面４１ａの後方位置に配置される。これにより、端子収容室１１内の端子４０が端子挿入口１１ｃ側に移動されると、相手端子接続部４１の端面４１ａが係止部２１ｂに当接されることによって端子４０の移動が阻止される。
【００３６】
なお、スペーサ２０が本係止位置に配置されると、スペーサ２０の底壁２１とコネクタハウジング１０の下壁１０ｃとが面一な状態になる（図１０、図１１参照）。
【００３７】
また、一対の弾性係止アーム２３の仮係止突起２４と本係止突起２５とが挿入方向で間隔を隔てて設けられ、被仮係止突起１３と被本係止突起１４についても挿入方向で間隔を隔てて設けられているので、コネクタハウジング１０にスペーサ２０を挿入する際には、弾性係止アーム２３が片持ち梁と同じ構造となる。
このため、挿入力が増大することを抑えることができ、作業者は、スペーサ２０をコネクタハウジング１０に容易に挿入することができる。
【００３８】
次に、図１２を用いて、スペーサ２０が仮係止位置、あるいは、本係止位置の状態で、スペーサ２０にコネクタハウジング１０から離脱する方向の力が作用した場合の各部の動作について説明する。
【００３９】
スペーサ２０が仮係止位置の状態で、スペーサ２０にコネクタハウジング１０から離脱する方向の力が作用した場合、図１２（ａ）に示すように、弾性アーム本体２３ａが、仮係止突起２４が形成された側面２３ｂに対して背面側に撓みながら係止状態が変化されるため、背面側の本係止突起２５が背面側の空間内壁面１２ａに当接される。
このように、背面側の本係止突起２５が、背面側の空間内壁面１２ａに当接されることによって支えとなり、弾性アーム本体２３ａの可撓変位量が小さくなり、仮係止突起２４と被仮係止突起１３との係止の保持力が高められている。
【００４０】
スペーサ２０が本係止位置の状態で、スペーサ２０にコネクタハウジング１０から離脱する方向の力が作用した場合、図１２（ｂ）に示すように、弾性アーム本体２３ａが、本係止突起２５が形成された側面２３ｂに対して背面側に撓みながら係止状態が変化されるため、背面側の仮係止突起２４が背面側の空間内壁面１２ａに当接される。
このように、背面側の仮係止突起２４が、背面側の空間内壁面１２ａに当接されることによって支えとなり、弾性アーム本体２３ａの可撓変位量が小さくなり、本係止突起２５と被本係止突起１４との係止の保持力が高められている。
【００４１】
このように、弾性アーム本体２３ａの表裏の関係にある両側面２３ｂ、２３ｂにそれぞれ設けられた仮係止突起２４および本係止突起２５が支えとなって、弾性アーム本体２３ａの可撓変位量を小さく抑えるようになっているので、スペーサ２０とコネクタハウジング１０のガタによって係止部分の係り代が低下すること、あるいは、片効きの発生を防止している。
【００４２】
本発明の実施例に係るスペーサ係止構造１は、弾性アーム本体２３ａが係止状態の仮係止突起２４、あるいは、本係止突起２５が形成された側面２３ｂに対して背面側に撓みながら係止状態が変化される場合、背面側の仮係止突起２４あるいは本係止突起２５が背面側の空間内壁面１２ａに当接され、背面側の仮係止突起２４あるいは本係止突起２５が支えとなって、弾性アーム本体２３ａの可撓変位量を小さく抑えることができる。
従って、本発明に係るスペーサ係止構造１は、コネクタハウジング１０の端子収容室１１内に端子４０を係止するための係止部を有するスペーサ２０のコネクタハウジング１０への本係止位置、および、仮係止位置における保持力の低下を防止することができる。
【００４３】
また、本発明の実施例に係るスペーサ係止構造１は、一対の弾性係止アーム２３、２３の仮係止突起２４と本係止突起２５とが挿入方向Ｄで間隔を隔てて設けられ、被仮係止突起１３と被本係止突起１４についても挿入方向Ｄで間隔を隔てて設けられているので、コネクタハウジング１０にスペーサ２０を挿入する際には、弾性係止アーム２３が片持ち梁と同じ構造となるため、挿入力が増大することを抑えることができる。
【００４４】
また、本発明の実施例に係るコネクタ１００は、弾性アーム本体２３ａが係止状態の仮係止突起２４、あるいは、本係止突起２５が形成された側面２３ｂに対して背面側に撓みながら係止状態が変化される場合、背面側の仮係止突起２４あるいは本係止突起２５が背面側の空間内壁面１２ａに当接され、背面側の仮係止突起２４あるいは本係止突起２５が支えとなって、弾性アーム本体２３ａの可撓変位量を小さく抑えることができる。
従って、本発明に係るコネクタ１００は、コネクタハウジング１０の端子収容室１１内に端子４０を係止するための係止部を有するスペーサ２０のコネクタハウジング１０への本係止位置、および、仮係止位置における保持力の低下を防止することができる。
【００４５】
また、本発明の実施例に係るコネクタ１００は、一対の弾性係止アーム２３、２３の仮係止突起２４と本係止突起２５とが挿入方向Ｄで間隔を隔てて設けられ、被仮係止突起１３と被本係止突起１４についても挿入方向Ｄで間隔を隔てて設けられているので、コネクタハウジング１０にスペーサ２０を挿入する際には、弾性係止アーム２３が片持ち梁と同じ構造となるため、挿入力が増大することを抑えることができる。
【００４６】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４７】
１        スペーサ係止構造
１０      コネクタハウジング
１０ａ    前端面
１０ｂ    後端面
１０ｃ    下壁
１１      端子収容室
１１ｃ    端子挿入口
１２      アーム挿入空間
１２ａ    空間内壁面
１２ｂ    アーム挿入口
１３      被仮係止突起
１４      被本係止突起
１５      スペーサ挿入口
２０      スペーサ
２１      底壁
２１ａ    隔壁
２１ｂ    係止部
２２      側壁
２３      弾性係止アーム
２３ａ    弾性アーム本体
２３ｂ    側面
２４      仮係止突起
２５      本係止突起
３０      電線付き端子
４０      端子
４１      相手端子接続部
４１ａ    端面
４２      電線接続部
４３      繋ぎ部
４３ａ    開口
１００    コネクタ
１１０    バスバー端子
１１０ａ  タブ部
【図１】
2020140917.tif 000003
【図２】
2020140917.tif 000004
【図３】
2020140917.tif 000005
【図４】
2020140917.tif 000006
【図５】
2020140917.tif 000007
【図６】
2020140917.tif 000008
【図７】
2020140917.tif 000009
【図８】
2020140917.tif 000010
【図９】
2020140917.tif 000011
【図１０】
2020140917.tif 000012
【図１１】
2020140917.tif 000013
【図１２】
2020140917.tif 000014